(57)【要約】  順番に積層された前部プレート、前部接着剤薄膜層（２）、セルアレイ（３）、後部接着剤薄膜層（４）、及び後部プレート（５）を有する太陽電池モジュールが提供される。前部プレートは、ガラス（１）を有する。１つ又は複数の光散乱ユニット（１１）が、セルアレイから離隔した、ガラスの一面上において提供される。光散乱ユニットは、セルアレイから離隔したガラスの面が、セルアレイに隣接したガラスの面に向かって凹入している、凹状構造を有する。光散乱ユニットは、電池の非グリッドセクションに対応する必要がなく、ガラスは、電池のタイプとの高度な対応性の要件を有してはいない。従って、シリコンウエハ全体が入射光を十分に利用しうることが保証されており、ガラスの受光エリアが増大し、モジュールのパワーが改善され、モジュールの設置費用が低減されている。
2019522380.tif 000002
【特許請求の範囲】
【請求項１】
太陽電池セル組立体であって、
順番に積層された前部プレート、前部接着剤薄膜層、セルアレイ、後部接着剤薄膜層、及び後部プレートを有し、前記前部プレートは、ガラスを有し、前記ガラスの、前記セルアレイとは反対側の面には、１つ又は複数の光散乱ユニットが提供されており、それぞれの光散乱ユニットは、前記ガラスの、前記セルアレイとは反対側の前記面が、前記ガラスの、前記セルアレイに隣接する面に向かって内向きに陥没して形成される陥没構造を有する、太陽電池セル組立体。
【請求項２】
前記ガラスの厚さＨと、前記陥没構造の最大深さＨ１との比率は、（１〜１００）：（１〜２）である請求項１に記載の太陽電池セル組立体。
【請求項３】
前記陥没構造の前記最大深さＨ１は、０．０３ｍｍ〜１０ｍｍであり、前記陥没構造の幅Ｗ１は、０．３ｍｍ〜５０ｍｍである請求項１に記載の太陽電池セル組立体。
【請求項４】
前記陥没構造の長さＬ１と前記ガラスの長さＬとの間の関係は、Ｌ−６０ｍｍ≦Ｌ１≦Ｌ−１０ｍｍである請求項１に記載の太陽電池セル組立体。
【請求項５】
前記セルアレイの受光表面が配置されるプレーン上の前記光散乱ユニットの正射影は、長方形である請求項１に記載の太陽電池セル組立体。
【請求項６】
前記光散乱ユニットは、前記ガラスの長さ方向において延在する前記陥没構造を有する請求項１に記載の太陽電池セル組立体。
【請求項７】
前記複数の光散乱ユニットは、前記ガラスの幅方向において間隔をあけて配置されており、隣接する光散乱ユニットは、円弧遷移方式によって接続されている請求項１に記載の太陽電池セル組立体。
【請求項８】
前記光散乱ユニットの前記陥没構造及び円弧遷移における隆起構造は、前記ガラスの前記幅方向において延在する波形状を形成している請求項７に記載の太陽電池セル組立体。
【請求項９】
前記複数の光散乱ユニットは、前記ガラスの前記幅方向において等しい間隔をあけて連続的に配置しており、前記隣接する光散乱ユニットのエッジの間の距離Ｄ１は、０．０３ｍｍ〜５ｍｍである請求項８に記載の太陽電池セル組立体。
【請求項１０】
前記太陽電池セル組立体は、設置外側フレームを更に有し、前記前部プレート／前記前部接着剤薄膜層／前記セルアレイ／前記後部接着剤薄膜層／前記後部プレートの周りのすべてのエッジは、前記太陽電池セル組立体を封止するように、前記設置外側フレームによって被覆されており、前記設置外側フレーム内において配置された前記ガラスの、前記セルアレイとは反対側の前記面は、平面である請求項１に記載の太陽電池セル組立体。
【請求項１１】
前記ガラスの下部表面は、滑らかな表面又はスエード様の表面である請求項１に記載の太陽電池セル組立体。
【発明の詳細な説明】
【技術分野】
【０００１】
本開示は、太陽電池セル組立体に関する。
【背景技術】
【０００２】
近年、原油価格が急速且つ継続的に上昇しており、その一方で、従来のエネルギー、即ち、石油、石炭などの大量採掘及び消費が環境に深刻な影響をもたらしており、この結果、人々は、新しいクリーンなエネルギーに注意を払うようになっている。このような状況に鑑み、太陽光発電が急拡大しており、この場合には、結晶（単結晶シリコン又は多結晶シリコン）タイプの太陽電池（組立体）が産業化を実現している。技術の進歩に伴って、薄膜タイプの太陽電池セル組立体の発電レートが日ごとに増大しており、これにより、薄膜タイプの電池組立体も急拡大しつつあり、太陽電池（組立体）の出力パワーを更に改善する方法が、現時点の太陽光発電産業における緊急な解決を要する重要な主題となっている。
【０００３】
従来技術における結晶タイプの太陽電池（組立体）は、エンボス加工された超白色保護ガラス、ＥＶＡなどの充填材料、ワイヤを通じて接続された（直列接続又は並列接続された）複数の結晶基材（太陽電池セルチップ）、及び裏面保護層から構成されている。これらの要素は、真空熱ラミネート装置の加熱層によって１つに加圧され、次いで、フレーム及び接続箱が設置され、この結果、完成品の太陽電池（組立体）が形成される。
【０００４】
薄膜タイプの電池（組立体）によれば、透明電極層、薄膜半導体層、及び裏面の電極層が順番に保護ガラス表面上において直接形成され、次いで、すべての層が、レーザーにより、或いは、その他の手段により、要件に従って切断され、次いで、すべての部分が接続され、次いで、ＥＶＡなどの充填材料及び裏面保護薄膜を使用することにより、裏面の保護が実行されている。
【０００５】
太陽光は、保護ガラスを貫通し、光起電効果を生成するように、太陽電池セルチップ上に照射されるが、電池チップ上に照射されたすべての太陽光が利用されるわけではなく、太陽光の多くが、電池チップによって反射されている。
【発明の概要】
【発明が解決しようとする課題】
【０００６】
従来技術における太陽電池が、中国特許出願公開第１０１６７７１１２Ａ号明細書によって開示されており、具体的には、光濃縮ガラスが、開示され、その全体表面がストリップ形状を有すると共に太陽電池セルチップに対向している光濃縮パターンを反射するべく、使用されている。この場合に、パターン内における反射光濃縮表面部分の面積比率は、７５％以上である。太陽電池セルチップの、太陽電池セルチップに対向する、全体表面（即ち、ガラスの下部表面）が、隆起構造の湾曲した表面を有するアレイ構造として製造され、受光エリアが増大しており、組立体のパワーが改善されている。光線が、凸状表面を通じて微細ゲートラインの間の電池素子上において合焦されており、光線が十分に利用され、パワーが更に改善されている。但し、上述の効果は、ガラスの凸状パターンが微細ゲートラインの間の電池素子に対応している際にのみ、実現されうる、という事実に起因して、ガラス及び電池素子のタイプ対応性が非常に高くなっており、その一方において、実際の製造における組立体のレイアウト及び構成は、逸脱を有している、即ち、ガラスの隆起構造部分が電池素子の非ゲートライン部分に対応する必要があるにも拘わらず、電池素子が印刷、直列接続、及び圧入などの処理を経験した後には、特定の動作の逸脱が存在しており、従って、セルアレイ及びガラス凸状パターンアレイに、転位非対応現象が非常に容易に発生する。これに加えて、ガラス凸状パターンアレイの要件は、電池素子のタイプ及びサイズの差に起因して異なっており、この結果、光濃縮ガラスを通過した後に、光線をゲートラインの間の電池素子上において合焦することができず、シリコンウエハ全体によって入射光線が非常に良好に十分に利用されうることを保証することが不可能であり、従って、組立体のパワーの改善に対する悪影響が存在している。
【課題を解決するための手段】
【０００７】
従来技術における、凸状パターンが微細ゲートラインの間の電池素子に対応する必要がある、という技術的目的を実現するには、ガラス及び電池素子のタイプ対応性に対する要件が厳格である。実際の製造における組立体のレイアウト及び構成は、逸脱を有しており、シリコンウエハ全体によって入射光線が非常に良好に利用されうることを保証することができず、組立体のパワーの改善に対する悪影響が存在している。本開示は、太陽電池セル組立体を提供しており、この場合には、光散乱ユニットが微細ゲートラインの間の電池素子に対応する必要性が存在しておらず、ガラス及び電池素子のタイプ対応性に対する要件が厳格ではなく、シリコンウエハ全体によって入射光線を非常に良好に利用されうることが保証されており、受光エリアが増大しており、パワーが効果的に改善されている。また、その一方で、組立体の設置費用も引き下げられている。
【０００８】
本開示によって提供されている太陽電池セル組立体は、順番に積層された前部プレート、前部接着剤薄膜層、セルアレイ、後部接着剤薄膜層、及び後部プレートを有しており、この場合に、前部プレートは、ガラスを有し、ガラスの、セルアレイとは反対側の面には、１つ又は複数の光散乱ユニットが提供されており、光散乱ユニットは、ガラスの、セルアレイとは反対側の面が、ガラスの、セルアレイに隣接した、面に向かって内向きに陥没した際に形成される陥没構造を有する。
【０００９】
好ましくは、ガラスの厚さＨと、陥没構造の最大深さＨ１との比率は、（１〜１００）：（１〜２）である。
【００１０】
好ましくは、陥没構造の最大深さＨ１は、０．０３ｍｍ〜１０ｍｍであり、陥没構造の幅Ｗ１は、０．３ｍｍ〜５０ｍｍである。
【００１１】
好ましくは、陥没構造の長さＬ１とガラスの長さＬとの間の関係は、Ｌ−６０ｍｍ≦Ｌ１≦Ｌ−１０ｍｍである。
【００１２】
好ましくは、セルアレイの受光表面が配置されているプレーン上のそれぞれの光散乱ユニットの正射影は、長方形である。
【００１３】
好ましくは、光散乱ユニットは、ガラスの長さ方向において延在する陥没構造を有する。
【００１４】
好ましくは、複数の光散乱ユニットが、ガラスの幅方向において間隔をあけて配置されており、隣接する光散乱ユニットは、円弧遷移方式で接続されている。
【００１５】
更には、光散乱ユニットの陥没構造及び円弧遷移における隆起構造は、ガラスの幅方向において延在する波形状を形成している。
【００１６】
好ましくは、複数の光散乱ユニットが、ガラスの幅方向において等しい間隔をあけて連続的に配置されており、隣接する光散乱ユニットのエッジの間の距離Ｄ１は、０．０３ｍｍ〜５ｍｍである。
【００１７】
好ましくは、太陽電池セル組立体は、設置外側フレームを更に有し、前部プレート／前部接着剤薄膜層／セルアレイ／後部接着剤薄膜層／後部プレートの周りのすべてのエッジは、太陽電池セル組立体を封止するべく、設置外側フレームによって被覆されており、設置外側フレーム内において配置されたガラスの、セルアレイとは反対側の面は、平面である。
【００１８】
好ましくは、ガラスの下部表面は、滑らかな表面又はスエード様の表面である。
【００１９】
本開示の太陽電池セル組立体は、前部プレートを有し、陥没構造によって形成された１つ又は複数のガラスが、ガラスの、セルアレイとは反対側の面上において配置されており、光散乱ユニットは、ガラスの長さ方向において延在する陥没構造を有する。ガラスの、セルアレイとは反対側の面の形状又は構造を変更することにより、ガラスの受光エリアが増大し、光散乱ユニットが、電池素子の非ゲートライン部分に対応する必要性がなくなり、様々なタイプの電池素子のすべてが好適なものとなる。光線は、陥没構造のガラスを通じて散乱した後に、電池素子に進入しており、太陽光が十分に利用され、全セルアレイのすべてが、受光し、発電することを保証することが可能であり、従って、組立体のパワーが効果的に改善されている。また、本開示の太陽電池セル組立体を採用することにより、太陽追跡システムを採用することなしに、一日の様々な時間帯における太陽光を効果的に利用することができると共に、電池組立体の設置費用も引き下げられる。
【図面の簡単な説明】
【００２０】
【図１】本開示の一実施形態の太陽電池セル組立体の前部プレートの構造概略図である。
【図２】本開示の実施形態の太陽電池セル組立体の前部プレートの平面図である。
【図３】本開示の実施形態の太陽電池セル組立体の前部プレートの側面切断図である。
【図４】本開示の実施形態の太陽電池セル組立体の構造概略図である。
【図５】本開示の実施形態の太陽電池セル組立体の構造概略図である。
【発明を実施するための形態】
【００２１】
図１〜図５は、１−ガラス、２−前部接着剤薄膜層、３−セルアレイ、４−後部接着剤薄膜層、５−後部プレート、６−設置フレーム、１１−光散乱ユニット、１２−カプセル化エッジ、１３−隆起構造を有する。
【００２２】
本開示によって解決されるべき技術的問題、技術的解決策、及び有益な効果を更にわかりやすいものとするべく、以下において、添付図面及び実施形態を参照し、本開示について詳細に更に説明する。本明細書において記述されている特定の実施形態は、本開示の限定ではなく、本開示の説明を目的として使用されるものに過ぎないことを理解されたい。
【００２３】
本開示の実施形態を詳細に参照することとする。図面を参照して本明細書において記述されている実施形態は、説明及び例示を目的としており、従って、本開示について概略的に理解するべく使用することを要する。添付図面を参照して後述する実施形態は、例示を目的としており、従って、本開示の説明のためのものであって、本開示に対する限定として理解しうるものではない。
【００２４】
本開示の説明においては、「中心」、「長手方向」、「横断方向」、「長さ」、「幅」、「厚さ」、「上」、「下方」、「前部」、「後部」、「左」、「右」、「垂直方向」、「水平方向」、「最上部」、「最下部」、「内側」、「外側」、「時計回り」、及び「反時計回り」などの用語によって示されている向き又は位置関係は、添付図面において示されている向き又は位置関係に基づいたものであり、言及されている装置又はコンポーネントが特定の向きを有していなければならない、或いは、これらを特定の向きにおいて構築し且つ動作させなければならない、ことを通知又は意味するのではなく、図示及び説明の容易性及び簡潔性を目的としてのみ使用されていることを理解されたい。従って、これらの用語は、本開示の限定として解釈してはならない。
【００２５】
これに加えて、「第１」及び「第２」などの用語は、説明を目的としてのみ使用されるものであり、相対的な重要性を通知又は意味している、或いは、通知された技術的特徴の数を黙示的に規定している、ものとして理解してはならない。従って、「第１」又は「第２」によって定義されている特徴は、前記特徴の１つ又は複数を明示的に又は黙示的に含むことができる。本開示の説明においては、「複数」は、そうではない旨が明示的に定義されていない限り、例えば、２つや３つなどの、少なくとも２つを意味している。
【００２６】
本開示においては、そうではない旨が明示的に規定又は定義されていない限り、「取り付ける」、「設置する」、「接続する」、及び「接続」などの用語は、広義に理解されるべきである。例えば、接続は、固定された接続、着脱自在の接続、又は一体的な接続であってもよく、或いは、接続は、機械的な接続又は電気的な接続であってもよく、或いは、接続は、そうではない旨が明示的に定義されてない限り、直接的な接続、介在物を介した間接的な接続、或いは、２つのコンポーネントの間の内部的な通信、或いは、２つのコンポーネントの間の相互作用であってもよい。当業者は、特定の状況に従って本開示における用語の特定の意味を理解することができる。
【００２７】
本開示においては、そうではない旨が明示的に規定又は限定されていない限り、第２の特徴の「上」の又は「下」の第１の特徴は、第２の特徴との直接的な接触状態にある第１の特徴であってもよく、或いは、中間媒体を使用することによって第２の特徴との間接的な接触状態にある第１の特徴であってもよい。これに加えて、第２の特徴の「上部」、「上方」、又は「最上部上」の第の１特徴は、第１の特徴が第２の特徴の上部又は上方に位置することを含んでいてもよく、或いは、第１の特徴の水平方向の高さが第２の特徴のものを上回っていることを単に通知している。第２の特徴の「下部」、「下方」、又は「最下部上」の第１の特徴は、第１の特徴が、第２の特徴の下部又は下方に位置することを含んでいてもよく、或いは、第１の特徴の水平方向の高さが第２の特徴のものを下回っていることを単に通知している。
【００２８】
以下、添付の図面及び実施形態との関連において、本開示について更に説明する。
【００２９】
本開示は、順番に積層された前部プレート、前部接着剤薄膜層２、セルアレイ３、後部接着剤薄膜層４、及び後部プレート５を有する太陽電池セル組立体を提供しており、前部プレートは、通常、透過を高めるように、透明体であり、光線は、セルアレイ上に照射されるように、前部プレートを貫通することが可能であり、電池組立体のパワーが改善されている。具体的には、ガラスを選択することができる。
【００３０】
具体的には、実施形態においては、図４に示されているように、ガラス１、前部接着剤薄膜層２、セルアレイ３、後部接着剤薄膜層４、及び後部プレート５が、最上部から最下部まで、順番に配置されている。図１に示されているように、ガラス１の、セルアレイ３とは反対側の面には、１つ又は複数の光散乱ユニット１１が提供されており、この場合に、光散乱ユニット１１は、ガラス１の、セルアレイ３とは反対側の面が、ガラス１の、セルアレイ３に隣接した、面に向かって内側に陥没した際に形成される陥没構造を有する。ここで、ガラスの一面は、ガラス自体の一面を意味しており、ガラスの一面上に配置されている薄膜層の一面ではない。
【００３１】
ガラス１の、セルアレイとは反対側の面の形状又は構造を変更することにより、ガラス１の受光エリアが増大し、光散乱ユニット１１が太陽電池セルの非ゲートライン部分に対応する必要性がなくなり、ガラス１及び太陽電池セルのタイプ対応性に対する要件が厳格ではなくなる。光線は、ガラス１の、セルアレイ３とは反対側の面上の陥没構造を通じて散乱した後に、セルアレイ３に進入しており、太陽光が十分に利用され、セルアレイ３のすべてが、光線を受け取り、発電することを保証することが可能であり、従って、電池組立体のパワーが効果的に改善されている。また、本開示の太陽電池セル組立体を採用することにより、太陽追跡システムを採用することなしに、一日の様々な時間帯における太陽光を効果的に利用することができると共に、太陽電池セル組立体の設置費用も引き下げられる。
【００３２】
図２〜図３に示されているように、本実施形態の前部プレートのＨは、ガラス１の厚さであり、Ｗは、ガラス１の幅であり、Ｌは、ガラス１の長さであり、光散乱ユニット１１のＨ１は、陥没構造の最大長さであり、Ｗ１は、陥没構造の幅であり、Ｌ１は、陥没構造の長さである。本実施形態においては、ガラスの厚さＨと、光散乱ユニット１１の陥没構造の最大深さＨ１との比率は、（１〜１００）：（１〜２）であり、更には、光散乱ユニット１１の陥没構造の最大深さＨ１は、０．０３ｍｍ〜１０ｍｍであり、陥没構造の幅Ｗ１は、０．３ｍｍ〜５０ｍｍであり、陥没構造の長さＬ１とガラスの長さＬとの間の関係は、Ｌ−６０ｍｍ≦Ｌ１≦Ｌ−１０ｍｍである。
【００３３】
本開示の陥没構造の深さは、１ミリメートルのレベルであり、自然環境における反射防止効果が安定しており、自己クリーニング性能が相対的に良好であり、表面は、クリーニングが簡単である。陥没構造のナノメートルレベルの深さとは異なり、ナノメートルレベルの陥没深さは、本質的に、非常に小さなイオン腐食ピットであり、光に対する微細腐食ピットの反射防止寄与は、小さく、微細腐食ピットは、太陽による焼き付き、雨による浸漬、風、及び砂の環境において、漸進的に腐食すると共に平らに磨滅する傾向を有しており、反射防止効果が低減され、ナノメートル構造の溝内において蓄積された土及びその他の不純物が容易に除去されず、光の利用レートに更なる影響が及ぶ。
【００３４】
図１〜図３に示されているように、好ましくは、光散乱ユニット１１は、ガラスの長さ方向において延在する陥没構造を有しており、セルアレイ３の受光表面が配置されるプレーン上の光散乱ユニット１１の正射影は、長方形である。具体的には、複数の光散乱ユニット１１は、ガラスの幅方向において間隔をあけて配置されており、隣接する光散乱ユニット１１は、円弧遷移方式によって接続され、円弧遷移の接続に起因して形成される構造は、ガラスが配置されるプレーンとの関係において上昇している。更には、複数の光散乱ユニット１１は、ガラス１の幅方向において等しい間隔をあけて連続的に配置されており、隣接する光散乱ユニット１１のエッジの間の距離Ｄ１は、０．０３ｍｍ〜５ｍｍであり、Ｄ１は、実際には、円弧遷移の隆起構造１３の幅である。そして、更には、陥没構造及び隆起構造１３は、協働し、ガラス１の幅方向において延在する波形状を形成しており、即ち、図３に示されるように、断面において、波ラインを観察することができる。
【００３５】
具体的には、太陽電池セル組立体は、設置外側フレーム６を更に有しており、ガラス１／前部接着剤薄膜層２／セルアレイ３／後部接着剤薄膜層４／後部プレート５の周りのすべてのエッジは、太陽電池セル組立体を封止するべく、設置外側フレーム６によって被覆されており、設置外側フレーム６内において配置されたガラス１の、セルアレイとは反対側の面は、平面であり、設置外側フレーム６と前部プレート／前部接着剤薄膜層２／セルアレイ３／後部接着剤薄膜層４／後部プレート５の周りのすべてのエッジの接続は、従来技術におけるものであり、従って、本明細書においては、反復を省略する。更には、前部プレートのガラス１の、セルアレイとは反対側の面には、設置外側フレームに対応して配置されたカプセル化エッジ１２が提供されており、ガラス１の４つのエッジからの離隔距離Ｄ２は、５ｍｍ〜３０ｍｍである。
【００３６】
図４に示されているように、本開示における前部プレートのガラス１の、セルアレイ３に対向している、面、即ち、セルアレイ３に対向している受光表面は、滑らかな表面又は（すりガラスなどの）スエード様の表面であってもよく、スエード様の表面は、一般に、特定の粗度を有する表面を意味している。例えば、スエード様の表面は、マイクロメートルレベル又はナノメートルレベルの凹−凸状構造であってもよく、肉眼では、明白な凹性又は凸性を有しておらず、マイクロメートル又はナノメートルレベルにおける精度を有する観察装置の下においてのみ、不規則な凹−凸状構造を示す。そして、具体的には、凹状及び／又は凸状構造の最大深さは、本出願の陥没構造の最大深さＨ１よりも格段に小さい。他方の面、即ち、ガラス１の、セルアレイ３とは反対側の面は、太陽に対向している。更には、後部プレート５の材料は、前部プレートの材料と同一であってもよく、或いは、これと異なっていてもよい。
【００３７】
太陽光が、太陽電池ガラス１を貫通し、太陽電池セルアレイ３の一面上に照射された際に、太陽電池セルアレイ３は、光起電効果を生成するが、セルアレイ３上に照射されたすべての太陽光が利用されるわけではなく、太陽光の多くがセルアレイ３によって反射される。セルアレイ３から外に反射された光が、陥没構造の光散乱ユニット１１の一面に反射された際に、光は、再度、セルアレイ３の一面上に反射及び散乱し、再度、発電に参加する。このプロセスは、多数回にわたって反復的に実行され、従って、シリコンウエハ全体が入射光線を非常に良好に利用することが可能であり、ガラス１の受光エリアが増大し、従って、組立体の発電量が増加する、ことが保証されている。また、本開示の太陽電池セル組立体を採用することにより、太陽追跡システムを採用することなしに、一日の様々な時間帯における太陽光を効果的に利用することができると共に、太陽電池セル組立体の設置費用も引き下げられる。
【００３８】
従来技術における中国特許出願公開第１０１６７７１１２Ａ号明細書は、当技術分野において一般的に使用されている凸状タイプの光濃縮ガラスの光濃縮原理であり、光線が、ガラスを貫通することにより、一点上において合焦されている。そして、実際の製造においては、その一方で、ガラスの凸状パターンが微細ゲートラインの間の電池素子に対応する必要があるという点を考慮する必要があり（ストリップ形状の反射光濃縮表面の幅は、０．６ｍｍ〜１．２ｍｍである）、他方において、ガラス及び電池素子のタイプの対応性を検討する必要があり、組立体のレイアウト及び構成の際に逸脱が存在することが回避され、光線は、ゲートライン上において合焦され、次いで、反射されており、従って、組立体のパワーの改善に対して悪影響が存在している。本開示の技術的解決策は、光散乱原理を適用しており、光線が均一であり、ガラス上において配置された光散乱ユニットにより、前部プレートは、受光表面上の有効反射及び光散乱表面積を増大させることが可能であり、太陽エネルギーの利用レートが増大し、従って、電池組立体の出力パワーが改善されており、従来技術における中国特許出願公開第１０１６７７１１２Ａ号明細書に存在している技術的問題点が解決されており、その一方において、出力パワーが、従来技術における中国特許出願公開第１０１６７７１１２Ａ号明細書との比較において、３％だけ、改善されることを実験が証明している。
【００３９】
本開示によって開示されている太陽電池セル組立体は、その出力パワーを改善することができる。太陽電池セル組立体は、建物の屋根又は建物の外壁上において設置されてもよく、或いは、砂漠などの開放空間において設置されてもよく、更には、船舶、衛星、宇宙船などの上に設置されてもよい。
【００４０】
本明細書の説明において、「一実施形態」、「いくつかの実施形態」、「一例」、「特定の一例」、又は「いくつかの例」などの参照用語の説明は、実施形態又は例を参照して記述されている特定の特徴、構造、材料、又は特性が、本開示の少なくとも１つの実施形態又は例に含まれていることを意味している。本明細書においては、上述の用語の例示用の説明は、必ずしも、同一の実施形態又は例を参照するものではない。これに加えて、記述されている特定の特徴、構造、材料、又は特性は、任意の１つ又は複数の実施形態又は例において、適切な方式により、組み合わせることもできる。これに加えて、矛盾を伴うことなしに、当業者は、本明細書において記述されている異なる実施形態及び例、並びに、異なる実施形態及び例の特徴を、統合することも可能であり且つ組み合わせることもできる。
【００４１】
上述の説明は、本開示の好適な実施形態であるに過ぎず、本開示を限定することを意図したものではない。本開示の精神及び原理内において実施されるすべての変更、等価な置換、又は改善は、本開示の保護範囲に含まれるものとする。
【図１】
2019522380.tif 000003
【図２】
2019522380.tif 000004
【図３】
2019522380.tif 000005
【図４】
2019522380.tif 000006
【図５】
2019522380.tif 000007
【国際調査報告】
2019522380.tif 000008
2019522380.tif 000009
2019522380.tif 000010
2019522380.tif 000011
2019522380.tif 000012